(57)【要約】【課題】第１搬送部１６が挿入用紙を挟持する挟持位置から反転用挟持位置までの搬送距離を短くして、能率良く給紙できるようにする。【解決手段】挿入用紙２を印刷済み用紙３の搬送路４合流させる挿入用紙搬送路５の途中に、挿入用紙を挟持して反転用搬送路１２に取り込んだ後、反転用搬送路から送り出す反転用搬送部１３と、挿入用紙を挟持して反転用搬送路に向けて搬送する第１搬送部１６と、反転用搬送路から送り出される挿入用紙を挟持して搬送する第２搬送部１９とを設けてあり、反転用搬送部は、反転用搬送路から送り出される挿入用紙が第２搬送部１９で挟持されたときは、挟持解除状態に切り換えられ、挿入用紙の送り出し方向後端が反転用駆動ローラと反転用従動ローラとの間を通過したときは、挟持状態に切り換えられて、第１搬送部で搬送されてきた後続の挿入用紙を挟持して反転用搬送路に取り込むように駆動可能に構成されている。【選択図】図１
2010006484.tif 000002
【特許請求の範囲】
【請求項１】
挿入用紙を略一定速度で挟持搬送して、画像形成装置で印刷された印刷済み用紙の搬送路に合流させる挿入用紙搬送路の途中に、
挿入用紙を一対の反転用駆動ローラと反転用従動ローラとで挟持して反転用搬送路に取り込んだ後、前記反転用駆動ローラの逆回転で反転用搬送路から送り出す反転用搬送部と、
前記反転用搬送部の上流側において、挿入用紙を一対の第１駆動ローラと第１従動ローラとで挟持して前記反転用搬送路に向けて搬送する第１搬送部と、
前記反転用搬送部の下流側において、前記反転用搬送路から送り出される挿入用紙を一対の第２駆動ローラと第２従動ローラとで挟持して、前記挿入用紙搬送路に沿って搬送する第２搬送部とを設けてある外部給紙装置であって、
前記反転用搬送部は、
前記反転用搬送路から送り出される挿入用紙が前記第２駆動ローラと前記第２従動ローラとで挟持されたときは、前記反転用駆動ローラと前記反転用従動ローラが挟持解除状態に切り換えられ、
前記反転用搬送路から送り出される挿入用紙の送り出し方向後端が前記反転用駆動ローラと前記反転用従動ローラとの間を通過したときは、その反転用駆動ローラと反転用従動ローラが挟持状態に切り換えられて、第１搬送部で搬送されてきた後続の挿入用紙を挟持して前記反転用搬送路に取り込むように駆動可能に構成されている外部給紙装置。
【請求項２】
請求項１記載の外部給紙装置における搬送部の配置方法であって、
前記第１駆動ローラと前記第１従動ローラとが挿入用紙を挟持する第１挟持位置から、前記反転用駆動ローラと前記反転用従動ローラとが挿入用紙を挟持する反転用挟持位置までの挿入用紙の第１搬送距離Ｌ１と、
前記反転用挟持位置から、前記第２駆動ローラと前記第２従動ローラとが挿入用紙を挟持する第２挟持位置までの挿入用紙の第２搬送距離Ｌ２とが挿入用紙の搬送方向に沿う長さよりも短く、
かつ、前記第１搬送距離Ｌ１と前記第２搬送距離Ｌ２とが、次式
Ｌ＝Ａ−（２Ｃ−Ｂ／Ｎ）
Ａ：挿入用紙の搬送方向に沿う長さ
Ｂ：挿入用紙の単位時間当たりの搬送距離
Ｃ：反転用搬送路における挿入用紙の取り込み長さ
Ｎ：挿入用紙の単位時間当たり搬送枚数
で求めた距離Ｌ以下になるように、前記第１搬送部と前記反転用搬送部と前記第２搬送部とを配置し、かつ、
前記第１搬送部と前記第２搬送部との分岐箇所から前記反転用挟持位置までの距離Ｌ３が、次式
Ｌ３＞Ａ−Ｃ
の関係を満たすように前記分岐箇所を配置する搬送部の配置方法。
【請求項３】
前記挿入用紙の単位時間当たりの搬送距離Ｂが、前記反転用駆動ローラを駆動する駆動モータの加速時間を考慮した距離である請求項２記載の搬送部の配置方法。
【発明の詳細な説明】
【技術分野】
【０００１】
本発明は、挿入用紙を略一定速度で挟持搬送して、画像形成装置で印刷された印刷済み用紙の搬送路に合流させる挿入用紙搬送路の途中に、挿入用紙を一対の反転用駆動ローラと反転用従動ローラとで挟持して反転用搬送路に取り込んだ後、前記反転用駆動ローラの逆回転で反転用搬送路から送り出す反転用搬送部と、前記反転用搬送部の上流側において、挿入用紙を一対の第１駆動ローラと第１従動ローラとで挟持して前記反転用搬送路に向けて搬送する第１搬送部と、前記反転用搬送部の下流側において、前記反転用搬送路から送り出される挿入用紙を一対の第２駆動ローラと第２従動ローラとで挟持して、前記挿入用紙搬送路に沿って搬送する第２搬送部とを設けてある外部給紙装置とその搬送部の配置方法に関する。
【背景技術】
【０００２】
上記外部給紙装置は、挿入用紙を第１搬送部から反転用搬送部，第２搬送部の順に受け渡しながら反転させて、印刷済み用紙の搬送路に合流させるように構成してあり、従来、反転用搬送部が、通常の運転時において挟持状態に維持されている一対の反転用駆動ローラと反転用従動ローラとを設けて構成され、この反転用駆動ローラと反転用従動ローラとに挟持されて反転用搬送路から先行して送り出される挿入用紙（以下、先行挿入用紙という。）の送り出し方向後端が、その反転用駆動ローラと反転用従動ローラとの間を通過すると、反転用駆動ローラを逆回転させることにより、第１搬送部で搬送されてきた後続の挿入用紙（以下、後続挿入用紙という。）をその反転用駆動ローラと反転用従動ローラとで挟持して、反転用搬送路に取り込むように構成してある（例えば、特許文献１参照。）。
【０００３】
【特許文献１】特開２００６−１１１３８２号公報
【発明の開示】
【発明が解決しようとする課題】
【０００４】
このため、図６に例示するように、反転用搬送路から送り出される先行挿入用紙２ａの送り出し方向後端２６が、反転用駆動ローラと反転用従動ローラとの間を通過する前に、後続挿入用紙２ｂがその反転用駆動ローラと反転用従動ローラとの間に進入できないように、第１駆動ローラ１４と第１従動ローラ１５とで挿入用紙２を挟持する第１挟持位置Ｐ１から、反転用駆動ローラ１０と反転用従動ローラ１１とで挿入用紙２を挟持する反転用挟持位置Ｐ３までの挿入用紙２の第１搬送距離Ｌ１を、第１搬送部１６から反転用搬送部１３に挿入用紙２を受け渡しできる最大距離、つまり、挿入用紙２の搬送方向に沿う長さＡよりも若干短い距離に設定してある。
本発明は上記実情に鑑みてなされたものであって、第１駆動ローラと第１従動ローラとで挿入用紙を挟持する挟持位置から反転用挟持位置までの挿入用紙の搬送距離を従来よりも短くして、能率良く給紙できるようにすることを目的とする。
【課題を解決するための手段】
【０００５】
本発明の第１特徴構成は、挿入用紙を略一定速度で挟持搬送して、画像形成装置で印刷された印刷済み用紙の搬送路に合流させる挿入用紙搬送路の途中に、挿入用紙を反転用駆動ローラと反転用従動ローラとで挟持して反転用搬送路に取り込んだ後、前記反転用駆動ローラの逆回転で反転用搬送路から送り出す反転用搬送部と、前記反転用搬送部の上流側において、挿入用紙を第１駆動ローラと第１従動ローラとで挟持して前記反転用搬送路に向けて搬送する第１搬送部と、前記反転用搬送部の下流側において、前記反転用搬送路から送り出される挿入用紙を第２駆動ローラと第２従動ローラとで挟持して、前記挿入用紙搬送路に沿って搬送する第２搬送部とを設けてある外部給紙装置であって、
前記反転用搬送部は、前記反転用搬送路から送り出される挿入用紙が前記第２駆動ローラと前記第２従動ローラとで挟持されたときは、前記反転用駆動ローラと前記反転用従動ローラが挟持解除状態に切り換えられ、前記反転用搬送路から送り出される挿入用紙の送り出し方向後端が前記反転用駆動ローラと前記反転用従動ローラとの間を通過したときは、その反転用駆動ローラと反転用従動ローラが挟持状態に切り換えられて、第１搬送部で搬送されてきた後続の挿入用紙を挟持して前記反転用搬送路に取り込むように駆動可能に構成されている点にある。
【０００６】
〔作用及び効果〕
反転用搬送部は、反転用搬送路から送り出される先行挿入用紙が第２駆動ローラと第２従動ローラとで挟持されたときは、反転用駆動ローラと反転用従動ローラが挟持解除状態に切り換えられるので、図３に例示するように、先行挿入用紙２ａの送り出し方向後端２６が、反転用駆動ローラ１０と反転用従動ローラ１１との間を通過する前に、第１搬送部１６で搬送されてきた後続挿入用紙２ｂをその反転用駆動ローラ１０と反転用従動ローラ１１との間に進入させることができる。
そして、先行挿入用紙２ａの送り出し方向後端２６が反転用駆動ローラ１０と反転用従動ローラ１１との間を通過したときは、その反転用駆動ローラ１０と反転用従動ローラ１１が挟持状態に切り換えられて、後続挿入用紙２ｂを挟持して反転用搬送路１２に取り込むように駆動可能に構成されているので、先行挿入用紙３ａが第２駆動ローラ１７と第２従動ローラ１８とで挟持されてから、その先行挿入用紙３ａの送り出し方向後端２６が、挟持解除状態に切り換えられている反転用駆動ローラ１０と反転用従動ローラ１１との間を通過するまでの間に、図４に例示するように、後続挿入用紙２ｂを、反転用駆動ローラ１０と反転用従動ローラ１１との間を通して反転用搬送路１２に入り込ませておいてから、反転用駆動ローラ１０と反転用従動ローラ１１とを挟持状態に切り換えて、後続挿入用紙２ｂを逆回転する反転用駆動ローラ１０で反転用搬送路１２に取り込むことができる。
従って、第１駆動ローラと第１従動ローラとが挿入用紙を挟持する挟持位置から、反転用駆動ローラと反転用従動ローラとが挿入用紙を挟持する反転用挟持位置までの挿入用紙の搬送距離を短くすることができるので、挿入用紙の搬送時間も短くなって、能率良く給紙できる。
【０００７】
本発明の第２特徴構成は、請求項１記載の外部給紙装置における搬送部の配置方法であって、
前記第１駆動ローラと前記第１従動ローラとが挿入用紙を挟持する第１挟持位置から、前記反転用駆動ローラと前記反転用従動ローラとが挿入用紙を挟持する反転用挟持位置までの挿入用紙の第１搬送距離Ｌ１と、
前記反転用挟持位置から、前記第２駆動ローラと前記第２従動ローラとが挿入用紙を挟持する第２挟持位置までの挿入用紙の第２搬送距離Ｌ２とが挿入用紙の搬送方向に沿う長さよりも短く、
かつ、前記第１搬送距離Ｌ１と前記第２搬送距離Ｌ２とが、次式
Ｌ＝Ａ−（２Ｃ−Ｂ／Ｎ）
Ａ：挿入用紙の搬送方向に沿う長さ
Ｂ：挿入用紙の単位時間当たりの搬送距離
Ｃ：反転用搬送路における挿入用紙の取り込み長さ
Ｎ：挿入用紙の単位時間当たり搬送枚数
で求めた距離Ｌ以下になるように、前記第１搬送部と前記反転用搬送部と前記第２搬送部とを配置し、かつ、
前記第１搬送部と前記第２搬送部との分岐箇所から前記反転用挟持位置までの距離Ｌ３が、次式
Ｌ３＞Ａ−Ｃ
の関係を満たすように前記分岐箇所を配置する点にある。
【０００８】
〔作用及び効果〕
第１駆動ローラと第１従動ローラとが挿入用紙を挟持する第１挟持位置から、反転用駆動ローラと反転用従動ローラとが挿入用紙を挟持する反転用挟持位置までの挿入用紙の第１搬送距離Ｌ１と、反転用挟持位置から、第２駆動ローラと第２従動ローラとが挿入用紙を挟持する第２挟持位置までの挿入用紙の第２搬送距離Ｌ２とが挿入用紙の搬送方向に沿う長さよりも短くなるように、第１搬送部と反転用搬送部と第２搬送部とを配置するので、図３に例示するように、反転用搬送路１２から送り出される先行挿入用紙２ａが第２駆動ローラ１７と第２従動ローラ１８とで挟持されてから、図４に例示するように、その先行挿入用紙２ａの送り出し方向後端２６が、挟持解除状態に切り換えられている反転用駆動ローラ１０と反転用従動ローラ１１との間を通過するまでの間に、後続挿入用紙２ｂを、最大で、挿入用紙２の搬送方向に沿う長さＡと第１搬送距離Ｌ１との差の長さだけ、反転用駆動ローラ１０と反転用従動ローラ１１との間を通して反転用搬送路１２に入り込ませておいてから、反転用駆動ローラ１０と反転用従動ローラ１１とを挟持状態に切り換えて、後続挿入用紙２ｂを逆回転する反転用駆動ローラ１０で反転用搬送路１２に取り込むことができるように配置できる。
そして、第１搬送距離Ｌ１と第２搬送距離Ｌ２とが、
Ｌ＝Ａ−（２Ｃ−Ｂ／Ｎ）
Ａ：挿入用紙２の搬送方向に沿う長さ
Ｂ：挿入用紙２の単位時間当たりの搬送距離
Ｃ：反転用搬送路１２における挿入用紙２の取り込み長さ
Ｎ：挿入用紙２の単位時間当たり搬送枚数
で求めた距離Ｌ以下になるように、第１搬送部１６と反転用搬送部１３と第２搬送部１９とを配置するので、挿入用紙搬送路５における挿入用紙２の単位時間当たりの搬送距離がＢの外部給紙装置において、搬送方向に沿う長さがＡの挿入用紙２を、反転用搬送路１２において長さＣだけ取り込む状態で、単位時間当たりＮ枚の搬送枚数で搬送したい場合に、挿入用紙２の搬送時間も短くなって、能率良く給紙できる第１搬送部１６と反転用搬送部１３と第２搬送部１９の配置を簡便に設定することができる。
つまり、挿入用紙搬送路５において単位時間Ｔ当たり距離Ｂだけ挿入用紙２が搬送される場合、挿入用紙２の搬送速度は、Ｂ／Ｔになる。
また、挿入用紙搬送路５において単位時間Ｔ当たりＮ枚の挿入用紙２が搬送される場合、先行挿入用紙２ａが挟持解除状態の反転用駆動ローラ１０と反転用従動ローラ１１との間に進入してから、後続挿入用紙２ｂが挟持解除状態の反転用駆動ローラ１０と反転用従動ローラ１１との間に進入するまでの時間差は、Ｔ／Ｎになる。
従って、先行挿入用紙２ａが反転用駆動ローラ１０と反転用従動ローラ１１との間に進入してから、後続挿入用紙２ｂが反転用駆動ローラ１０と反転用従動ローラ１１との間に進入するまでの、先行挿入用紙２ａの移動距離は、（Ｂ／Ｔ）×（Ｔ／Ｎ）、つまり、Ｂ／Ｎになる。
そして、図３に例示するように、第１搬送部１６で搬送されてきた挿入用紙２の先端２７が挟持解除状態の反転用駆動ローラ１０と反転用従動ローラ１１との間に進入してから、その挿入用紙２が所定長さＣに亘って反転用搬送路１２に取り込まれた後、図４に例示するように、反転用搬送路１２から送り出される挿入用紙２の後端２６が挟持解除状態の反転用駆動ローラ１０と反転用従動ローラ１１との間を通過するまでの挿入用紙２の移動距離は２Ｃになるので、その移動距離２Ｃが、移動距離Ｂ／Ｎよりも長い場合は、図３に例示するように、後続挿入用紙２ｂの先端２７が反転用駆動ローラと反転用従動ローラとの間に進入したときに、反転用搬送路から送り出される先行挿入用紙２ａの送り出し方向後端２６が（２Ｃ−Ｂ／Ｎ）の距離だけ反転用搬送路に入り込んだ位置にあり、図４に例示するように、先行挿入用紙２ａの送り出し方向後端２６が反転用駆動ローラ１０と反転用従動ローラ１１との間を通過するまでに、後続挿入用紙２ｂの先端２７を（２Ｃ−Ｂ／Ｎ）の距離だけ反転用搬送路１２に入り込ませておいてから、図５に例示するように、反転用駆動ローラ１０と反転用従動ローラ１１とを挟持状態に切り換えて、後続挿入用紙２ｂを逆回転する反転用駆動ローラ１０で反転用搬送路１２に取り込むことができるように配置できる。
そして、図３に示すように、（２Ｃ−Ｂ／Ｎ）の距離と第２搬送距離Ｌ２との合計が挿入用紙２の搬送方向に沿う長さＡ以下であれば良く、また、図４に示すように、第１搬送距離Ｌ１と（２Ｃ−Ｂ／Ｎ）の距離との合計も挿入用紙２の搬送方向に沿う長さＡ以下であれば良いので、第１搬送距離Ｌ１も、第２搬送距離Ｌ２も、（Ａ−（２Ｃ−Ｂ／Ｎ））以下であれば良い。
また、図１に例示するように、第１搬送部１６と第２搬送部１９との分岐箇所Ｐ４から反転用挟持位置Ｐ３までの距離Ｌ３が、Ｌ３＞Ａ−Ｃの関係を満たすように、分岐箇所Ｐ４を配置するので、反転用搬送路１２に取り込んだ挿入用紙２を第２搬送部１９に確実に送り出すことができる。
従って、挿入用紙搬送路における挿入用紙の単位時間当たりの搬送距離がＢの外部給紙装置において、搬送方向に沿う長さがＡの挿入用紙を、反転用搬送路において長さＣだけ取り込む状態で、単位時間当たりＮ枚の搬送枚数で搬送したい場合に、挿入用紙の搬送時間も短くなって、能率良く給紙できる第１搬送部と反転用搬送部と第２搬送部の配置を簡便に設定することができる。
【０００９】
本発明の第３特徴構成は、前記挿入用紙の単位時間当たりの搬送距離Ｂが、前記反転用駆動ローラを駆動する駆動モータの加速時間を考慮した距離である点にある。
【００１０】
〔作用及び効果〕
挿入用紙の単位時間当たりの搬送距離Ｂが、反転用駆動ローラを駆動する駆動モータの加速時間を考慮した距離であるので、第１搬送距離Ｌ１が、反転用駆動ローラの特性を考慮した適切な距離になるように、第１搬送部と反転用搬送部と第２搬送部とを配置できる。
【発明を実施するための最良の形態】
【００１１】
以下に本発明の実施の形態を図面に基づいて説明する。尚、図面において従来例と同一の符号で表示した部分は、同一又は相当の部分を示している。
図１〜図５は、本発明による外部給紙装置の要部を示し、用紙トレイ１に積み重ねてある挿入用紙２をピックアップローラ２８でピックアップして、送り込みローラ対２９で挿入用紙搬送路５に送り込み、挿入用紙搬送路５に送り込まれた挿入用紙２は、ガイド６に沿って略一定速度で一枚ずつ挟持搬送して、複写機やプリンタなどの画像形成装置で印刷された印刷済み用紙３の搬送路４に合流させるように構成してある。
【００１２】
前記印刷済み用紙３の搬送路４は、画像形成装置で印刷されて送り出されてきた印刷済み用紙３を受け入れる受入口７と、挿入用紙搬送路５で搬送されてきた挿入用紙２を合流させる合流部８とを備え、受入口７から受け入れた印刷済み用紙３と、挿入用紙搬送路５で搬送されてきた挿入用紙２とを各別に挟持して、例えばステイプルなどで綴じるための後処理装置に搬送する挟持搬送装置９を設けてある。
【００１３】
前記挿入用紙搬送路５の途中には、挿入用紙２を一対の反転用駆動ローラ１０と反転用従動ローラ１１とで挟持して反転用搬送路１２に取り込んだ後、反転用駆動ローラ１０の逆回転で反転用搬送路１２から送り出す反転用搬送部１３と、反転用搬送部１３の上流側において、挿入用紙２を一対の第１駆動ローラ（レジストローラ）１４と第１従動ローラ１５とで挟持して反転用搬送路１２に向けて搬送する第１搬送部１６と、反転用搬送部１３の下流側において、反転用搬送路１２から送り出される挿入用紙２を一対の第２駆動ローラ１７と第２従動ローラ１８とで挟持して、挿入用紙搬送路５に沿って合流部８に向けて搬送する第２搬送部１９とを設けてある。
【００１４】
前記反転用搬送部１３には、反転用駆動ローラ１０の回転方向を、挿入用紙２を反転用搬送路１２に取り込むための正転方向と、挿入用紙２を反転用搬送路１２から送り出すための逆転方向とに切換自在な回転方向切換装置２０と、反転用従動ローラ１１を電磁ソレノイドなどで反転用駆動ローラ１０に向けて出退移動させて、反転用駆動ローラ１０と反転用従動ローラ１１とを挟持状態と挟持解除状態とに切り換え自在な挟持切換装置２１と、回転方向切換装置２０と挟持切換装置２１の作動を制御する制御装置２２とを設けてある。
【００１５】
前記制御装置２２は、図２に示すように、反転用搬送路１２から送り出される挿入用紙２が第２駆動ローラ１７と第２従動ローラ１８とで挟持されたことを検出する挟持検出センサ２３と、挿入用紙２が所定の取り込み長さＣで反転用搬送路１２に取り込まれたことを検出する取込検出センサ２４と、反転用搬送路１２から送り出される挿入用紙２の送り出し方向後端が反転用駆動ローラ１０と反転用従動ローラ１１との間を通過したことを検出する後端検出センサ２５とを設けて、これらの検出センサ２３，２４，２５による検出結果に基づいて、回転方向切換装置２０と挟持切換装置２１の作動を制御するように構成してある。
【００１６】
つまり、制御装置２２は、反転用駆動ローラ１０と反転用従動ローラ１１が挟持状態に切り換えられており、かつ、反転用駆動ローラ１０の回転方向が逆転方向に切り換えられている状態で、挟持検出センサ２３が挿入用紙２の挟持を検出すると、反転用駆動ローラ１０と反転用従動ローラ１１が挟持解除状態に切り換えられるように挟持切換装置２１を制御するとともに、反転用駆動ローラ１０の回転方向が正転方向に切り換えられるように回転方向切換装置２０を制御する。
【００１７】
そして、後端検出センサ２５が挿入用紙２の送り出し方向後端が通過したことを検出すると、反転用駆動ローラ１０と反転用従動ローラ１１が挟持状態に切り換えられるように挟持切換装置２１を制御し、挿入用紙２が所定の取り込み長さＣで取り込まれたことを取込検出センサ２４が検出すると、反転用駆動ローラ１０の回転方向が逆転方向に切り換えられるように回転方向切換装置２０を制御する。
【００１８】
従って、反転用搬送部１３は、図３に示すように、反転用搬送路１２から送り出される挿入用紙２が第２駆動ローラ１７と第２従動ローラ１８とで挟持されたときは、反転用駆動ローラ１０と反転用従動ローラ１１が挟持解除状態に切り換えられ、図４に示すように、反転用搬送路１２から送り出される挿入用紙２の送り出し方向後端が反転用駆動ローラ１０と反転用従動ローラ１１との間を通過したときは、図５に示すように、その反転用駆動ローラ１０と反転用従動ローラ１１が挟持状態に切り換えられて、第１搬送部１６で搬送されてきた後続の挿入用紙２を挟持して反転用搬送路１２に取り込むように駆動可能に構成されている。
【００１９】
前記第１搬送部１６と反転用搬送部１３と第２搬送部１９は、本発明による配置方法により、挿入用紙搬送路５における挿入用紙２の一分（単位時間）当たりの搬送距離Ｂが３０，０００ｍｍの外部給紙装置において、給紙可能なサイズの挿入用紙２のうちの、搬送方向に沿う長さＡが２１６ｍｍの最少サイズの挿入用紙２を、反転用搬送路１２において２１６ｍｍの長さＣだけ取り込む状態で、一分（単位時間）当たり８１．５枚の搬送枚数Ｎで搬送する場合に、挿入用紙２の搬送時間も短くなって、能率良く給紙できるように配置してある。
尚、搬送距離Ｂは、反転用駆動ローラ１０を駆動する駆動モータの加速時間を考慮した距離である。
【００２０】
具体的には、第１駆動ローラ１４と第１従動ローラ１５とが挿入用紙２を挟持する第１挟持位置Ｐ１から、反転用駆動ローラ１０と反転用従動ローラ１１とが挿入用紙２を挟持する反転用挟持位置Ｐ３までの挿入用紙２の第１搬送距離Ｌ１と、反転用挟持位置Ｐ３から、第２駆動ローラ１７と第２従動ローラ１８とが挿入用紙２を挟持する第２挟持位置Ｐ２までの挿入用紙２の第２搬送距離Ｌ２とが挿入用紙２の搬送方向に沿う長さＡ（２１６ｍｍ）よりも短くなるように、第１搬送距離Ｌ１と第２搬送距離Ｌ２の夫々を設定してある。
【００２１】
また、第１搬送距離Ｌ１は、次式
Ｌ＝Ａ−（２Ｃ−Ｂ／Ｎ）
Ａ：挿入用紙２の搬送方向に沿う長さ
Ｂ：挿入用紙２の単位時間当たりの搬送距離
Ｃ：反転用搬送路１２における挿入用紙２の取り込み長さ
Ｎ：挿入用紙２の単位時間当たり搬送枚数
で求めた距離Ｌ以下になるように設定してある。
【００２２】
つまり、
Ｌ＝２１６−（２×２１６−３０，０００／８１．５）
＝１５２．１
となるので、第１搬送距離Ｌ１と第２搬送距離Ｌ２の夫々が１５２．１ｍｍとなるように第１搬送部１６と第２搬送部１９とを配置してある。
【００２３】
また、第１搬送部１６と第２搬送部１９との分岐箇所Ｐ４から反転用挟持位置Ｐ３までの距離Ｌ３が、Ｌ３＞Ａ−Ｃの関係を満たすように分岐箇所Ｐ４を配置してある。
【図面の簡単な説明】
【００２４】
【図１】外部給紙装置の要部を示す側面図
【図２】ブロック図
【図３】作用の説明図
【図４】作用の説明図
【図５】作用の説明図
【図６】従来技術の説明図
【符号の説明】
【００２５】
２  挿入用紙
３  印刷済み用紙
４  搬送路
５  挿入用紙搬送路
１０  反転用駆動ローラ
１１  反転用従動ローラ
１２  反転用搬送路
１３  反転用搬送部
１４  第１駆動ローラ
１５  第１従動ローラ
１６  第１搬送部
１７  第２駆動ローラ
１８  第２従動ローラ
１９  第２搬送部
Ａ  挿入用紙の搬送方向に沿う長さ
Ｂ  挿入用紙の単位時間当たりの搬送距離
Ｃ  反転用搬送路における挿入用紙の取り込み長さ
Ｌ  距離
Ｌ１  第１搬送距離
Ｌ２  第２搬送距離
Ｎ  挿入用紙の単位時間当たり搬送枚数
Ｐ１  第１挟持位置
Ｐ２  第２挟持位置
Ｐ３  反転用挟持位置
Ｐ４  第１搬送部と第２搬送部との分岐箇所
【図１】
2010006484.tif 000003
【図２】
2010006484.tif 000004
【図３】
2010006484.tif 000005
【図４】
2010006484.tif 000006
【図５】
2010006484.tif 000007
【図６】
2010006484.tif 000008